(57)【要約】【課題】  天井板の姿勢または鉛直方向の位置を容易に調節できる天井用伸縮継手装置を提供する。【解決手段】  天井用伸縮継手装置１は、天井構造体５ａ，５ｂ間の空隙３を塞ぐ天井板１１と、天井板１１の側縁部１１ｂに設置される見切材１５と、天井板１１を吊下げる吊下手段２０とを含み、見切材１５は、側縁部１１ｂを覆う被覆部１５ａと被覆部１５ａと共に収容空間Ｓを形成する案内部１５ｃとを有し、吊下手段２０は、一端部２１ａが天井構造体５ａに掛止される索条２１と、見切材１５に保持され、索条２１の他端部２１ｂが連結される軸部２４ａおよび操作具７により操作される頭部２４ｂを有し、頭部２４ｂが操作されると索条２１の一端部２１ａと見切材１５との距離を増減させるボルト２４とを有し、案内部１５ｃには操作具７が挿通可能な透孔１５ｃ５が形成され、頭部２４ｂが透孔１５ｃ５に挿通された操作具７で操作可能に収容空間Ｓ内に配置される。【選択図】      図４
2015190265.tif 000002
【特許請求の範囲】
【請求項１】
水平な幅方向に空隙をあけて隣接する２つの天井構造体間にわたって設けられる天井用伸縮継手装置であって、
前記２つの天井構造体間に配設される天井板と、
前記天井板における前記幅方向の側縁部に設置される見切材であって、
該側縁部を前記幅方向の外方から覆う被覆部と、
前記被覆部に連設され、該被覆部の前記幅方向の外方に収容空間を形成する案内部と、を有する見切材と、
前記天井板を吊り下げる吊下手段であって、
長手方向の一端部が、前記天井板の上方において、前記２つの天井構造体のうちの一方に掛止される索条と、
前記見切材に保持される距離調節手段であって、前記索条の他端部が連結される連結部および予め定める操作具を介して操作される被操作部を備え、前記被操作部が操作されると、前記索条の一端部と該見切材との距離を増減させる距離調節手段と、を有する吊下手段と、を含み、
前記案内部には、前記収容空間と該案内部の下方の空間とを連通する、前記操作具が挿通可能な透孔が形成され、
前記被操作部は、前記透孔に挿通された操作具によって操作可能に、前記収容空間内に配置されていることを特徴とする天井用伸縮継手装置。
【請求項２】
前記距離調節手段は、予め定める軸線に沿って螺進および螺退可能に、前記見切材によって保持されたボルトによって実現され、前記連結部は該ボルトの軸部であり、前記被操作部は該ボルトの頭部であることを特徴とする請求項１に記載の天井用伸縮継手装置。
【請求項３】
前記予め定める軸線は、前記鉛直方向および前記幅方向に対して傾斜する方向に延びていることを特徴とする請求項２に記載の天井用伸縮継手装置。
【請求項４】
前記案内部は、下方に臨み、かつ上方に進むに従って前記側縁部から前記幅方向の外方に離反する傾斜面が形成される傾斜部を備え、
前記透孔は、該傾斜部に形成されていることを特徴とする請求項１〜３のいずれか１つに記載の天井用伸縮継手装置。
【発明の詳細な説明】
【技術分野】
【０００１】
本発明は、天井パネルと天井パネルとの間および天井パネルと壁面との間などのように隣接する２つの天井構造体間の空隙を塞ぎ、地震等による各天井構造体の相対的変位を許容することができる天井用伸縮継手装置に関する。
【背景技術】
【０００２】
従来から、天井パネルと天井パネルとの間および天井パネルと壁面との間などのように隣接する２つの天井構造体間の空隙を塞ぎ、地震等による各天井構造体の相対的変位を許容するために、天井用伸縮継手装置が用いられている（たとえば特許文献１参照）。
【０００３】
図９は、従来技術に係る天井用伸縮継手装置１０１の構成を示す断面図である。天井用伸縮継手装置１０１は、鉛直方向Ｚに垂直な幅方向Ｘに間隔をあけて隣接する２つの天井構造体１０５ａ，１０５ｂ間の空隙１０３を塞ぐ目地板として機能する天井可動パネル１１０と、この天井可動パネル１１０を、空隙１０３を塞いだ状態で吊り下げて支持する吊下手段１２０とを含む。
【０００４】
各天井構造体１０５ａ，１０５ｂは、建物のコンクリート製の躯体天井部１５１ａ，１５１ｂに、アンカーボルト１５２ａ，１５２ｂによって固定される複数のブラケット１５３ａ，１５３ｂと、各ブラケット１５３ａ，１５３ｂの下端部に固定される複数本の野縁受け１５４ａ，１５４ｂと、各野縁受け１５４ａ，１５４ｂの下端部に固定される複数本の野縁１５５ａ，１５５ｂと、各野縁１５５ａ，１５５ｂの下端部に固定される複数枚の天井板１５６ａ，１５６ｂと、各天井板１５６ａ，１５６ｂの側縁部１５６ａ１，１５６ｂ１を空隙１０３側から覆う縁材１５７ａ，１５７ｂとをそれぞれ含んで構成される。
【０００５】
天井可動パネル１１０は、天井板１１１と、角筒状の補強部材１１３と、第１見切材１１４と、第２見切材１１５とを含んで構成され、補強部材１１３は、天井板１１１を補強するために、その長手方向が幅方向Ｘに一致する姿勢で、天井板１１１の上面１１１ｃに固定される。
【０００６】
第１見切材１１４は、天井板１１１において幅方向一方Ｘ１側に配置される側縁部１１１ａを、幅方向一方Ｘ１側から覆うとともに、一方の天井構造体１０５ａの縁材１５７ａに対して、鉛直方向Ｚおよび幅方向Ｘのいずれにも垂直な空隙延在方向Ｙに延びる軸線Ｊ１まわりに回動可能に連結される。また、第２見切材１１５は、天井板１１１において幅方向他方Ｘ２側に配置される側縁部１１１ｂを、幅方向他方Ｘ２側から覆うように設けられる。
【０００７】
一方、吊下手段１２０は、ステンレス製のワイヤなどによって実現される索条１２１と、一方のねじ棒１２２ａに、索条１２１における長手方向の一端部１２１ａが連結されるターンバックル１２２と、ターンバックル１２２における他方のねじ棒１２２ｂが連結され、天井構造体１０５ａのブラケット１５３ａに締結固定される第１固定部１２３と、索条１２１における長手方向の他端部１２１ｂが連結され、天井可動パネル１１０における補強部材１１３に締結固定される第２固定部１２４とを含んで構成される。
【０００８】
このような構成を有する従来の天井用伸縮継手装置１０１では、ターンバックル１２２の胴体部１２２ｃを操作することにより、第１固定部１２３と第２固定部１２４との距離を調節することで、天井可動パネル１１０が吊下手段１２０によって吊下げられて支持された状態における、側縁部１１１ｂの側縁部１１１ａに対する高さ位置、すなわち、軸線
Ｊ１まわりの天井可動パネル１１０の回動位置が微調節されている。
【先行技術文献】
【特許文献】
【０００９】
【特許文献１】特開２００１−２７１４２７号公報
【発明の概要】
【発明が解決しようとする課題】
【００１０】
図９に示すような従来の天井用伸縮継手装置１０１では、軸線Ｊ１まわりの天井可動パネル１１０の回動位置を調節するために、作業者は、天井可動パネル１１０の上方Ｚ１の空間に侵入して、ターンバックル１２２の胴体部１２２ｃを操作しなければならず、調節作業の作業性が悪いという問題がある。
【００１１】
本発明の目的は、天井板の姿勢または鉛直方向の位置を容易に調節することができる天井用伸縮継手装置を提供することである。
【課題を解決するための手段】
【００１２】
本発明は、水平な幅方向に空隙をあけて隣接する２つの天井構造体間にわたって設けられる天井用伸縮継手装置であって、
前記２つの天井構造体間に配設される天井板と、
前記天井板における前記幅方向の側縁部に設置される見切材であって、
該側縁部を前記幅方向の外方から覆う被覆部と、
前記被覆部に連設され、該被覆部の前記幅方向の外方に収容空間を形成する案内部と、を有する見切材と、
前記天井板を吊り下げる吊下手段であって、
長手方向の一端部が、前記天井板の上方において、前記２つの天井構造体のうちの一方に掛止される索条と、
前記見切材に保持される距離調節手段であって、前記索条の他端部が連結される連結部および予め定める操作具を介して操作される被操作部を備え、前記被操作部が操作されると、前記索条の一端部と該見切材との距離を増減させる距離調節手段と、を有する吊下手段と、を含み、
前記案内部には、前記収容空間と該案内部の下方の空間とを連通する、前記操作具が挿通可能な透孔が形成され、
前記被操作部は、前記透孔に挿通された操作具によって操作可能に、前記収容空間内に配置されていることを特徴とする天井用伸縮継手装置である。
【００１３】
また本発明は、前記距離調節手段は、予め定める軸線に沿って螺進および螺退可能に、前記見切材によって保持されたボルトによって実現され、前記連結部は該ボルトの軸部であり、前記被操作部は該ボルトの頭部であることを特徴とする。
【００１４】
また本発明は、前記予め定める軸線は、前記鉛直方向および前記幅方向に対して傾斜する方向に延びていることを特徴とする。
【００１５】
また本発明は、前記案内部は、下方に臨み、かつ上方に進むに従って前記側縁部から前記幅方向の外方に離反する傾斜面が形成される傾斜部を備え、
前記透孔は、該傾斜部に形成されていることを特徴とする。
【発明の効果】
【００１６】
本発明によれば、被操作部が、案内部に形成された透孔に挿通された操作具によって操作可能に、収容空間に配置されているので、天井用伸縮継手装置の設置作業者は、天井板
の上方の空間に侵入することなく、天井板の下方から、操作具を、透孔に挿通して被操作部を操作することができるので、天井板の姿勢または鉛直方向の位置を容易に調節することができる。
【図面の簡単な説明】
【００１７】
【図１】本発明の第１の実施形態に係る天井用伸縮継手装置１の構成を示す断面図であり、図２における切断面線Ｉ−Ｉから見た断面を示している。
【図２】天井用伸縮継手装置１の構成を示す断面図であり、図１における切断面線ＩＩ−ＩＩから見た断面を示している。
【図３】図１におけるＡ部を拡大して示す断面図である。
【図４】図１におけるＢ部を拡大して示す断面図である。
【図５】第２見切材１５におけるボルト保持部１５ｅを図４における矢符Ｃから見た図である。
【図６】本発明の第２の実施形態に係る天井用伸縮継手装置１Ａの構成を示す断面図であり、図７における切断面線ＶＩ−ＶＩから見た断面を示している。
【図７】天井用伸縮継手装置１Ａの構成を示す断面図であり、図６における切断面線ＶＩＩ−ＶＩＩから見た断面を示している。
【図８】本発明の他の実施形態に係る天井用伸縮継手装置における第２見切材１５Ａの構成を拡大して示す断面図である。
【図９】従来技術に係る天井用伸縮継手装置１０１の構成を示す断面図である。
【発明を実施するための形態】
【００１８】
（第１の実施形態）
図１は、本発明の第１の実施形態に係る天井用伸縮継手装置１の構成を示す断面図であり、図２における切断面線Ｉ−Ｉから見た断面を示している。図２は、天井用伸縮継手装置１の構成を示す断面図であり、図１における切断面線ＩＩ−ＩＩから見た断面を示している。図３は、図１におけるＡ部を拡大して示す断面図であり、図４は、図１におけるＢ部を拡大して示す断面図である。
【００１９】
天井用伸縮継手装置１は、鉛直方向Ｚに垂直な幅方向Ｘに間隔をあけて隣接する２つの天井構造体５ａ，５ｂ間の空隙３を塞ぐ目地板として機能する天井可動パネル１０と、この天井可動パネル１０を、空隙３を塞いだ状態で吊り下げて支持する吊下手段２０とを含む。
【００２０】
本実施形態では、天井用伸縮継手装置１は、図１に示すように、天井可動パネル１０における幅方向一方Ｘ１側の端部１０ａが、幅方向一方Ｘ１側に位置する一方の天井構造体５ａの後述する縁材５７ａによって、鉛直方向Ｚおよび幅方向Ｘのいずれにも垂直な空隙延在方向Ｙに平行に延びる軸線Ｊ１まわりに回動可能に支持され、天井可動パネル１０における幅方向他方Ｘ２側の端部１０ｂが、一方の天井構造体５ａに固定された吊下手段２０によって吊り下げられて構成される。これにより、天井用伸縮継手装置１は、地震などによる各天井構造体５ａ，５ｂの幅方向Ｘおよび空隙延在方向Ｙへの相対変位を許容しながら、空隙３を塞いだ状態に維持することができる。
【００２１】
また、吊下手段２０は、後述するように、端部１０ｂの端部１０ａに対する高さ位置、すなわち鉛直方向Ｚにおける端部１０ｂの位置を調節するための手段として機能するボルト２４を備え、天井用伸縮継手装置１の設置作業者は、このボルト２４を、操作具７を用いて手動で操作することで、端部１０ｂを適当な高さ位置に調節することができるように構成されている。吊下手段２０の詳細な構造については後述する。
【００２２】
先ず、各天井構造体５ａ，５ｂの構成について詳細に説明する。
各天井構造体５ａ，５ｂは、図１および図２に示すように、複数のブラケット５３ａ，５３ｂと、複数本の野縁受け５４ａ，５４ｂと、複数本の野縁５５ａ，５５ｂと、複数枚の天井板５６ａ，５６ｂと、縁材５７ａ，５７ｂとをそれぞれ含んで構成される。
【００２３】
各ブラケット５３ａ，５３ｂは、複数の断面Ｌ字状の金属製の部材を、溶接などによって適所を固定して組み立てた金属製の部材であり、図１に示すように、その上端部が、建物のコンクリート製の躯体天井部５１ａ，５１ｂに、アンカーボルト５２ａ，５２ｂによって固定される。複数のブラケット５３ａ，５３ｂは、図２に示すように、空隙延在方向Ｙに間隔を空けて、各躯体天井部５１ａ，５１ｂの下面に垂設される。
【００２４】
各野縁受け５４ａ，５４ｂは、各ブラケット５３ａ，５３ｂの下端部に溶接などによって固定される長尺の金属製の部材であり、図１では、その長手方向が幅方向Ｘに一致するようにそれぞれ延設されている。
【００２５】
各野縁５５ａ，５５ｂは、各野縁受け５４ａ，５４ｂの下端部に溶接などによって固定される長尺の金属製の部材であり、図１では、その長手方向が空隙延在方向Ｙに一致するようにそれぞれ延設されている。
【００２６】
各天井板５６ａ，５６ｂは、互いに同一または略同一の厚みを有し、各野縁５５ａ，５５ｂの下端部に、厚み方向が鉛直方向Ｚに一致する姿勢でそれぞれ固定される。ここで、空隙３に隣接して配設される各天井板５６ａ，５６ｂは、空隙３に臨んで配置される側縁部５６ａ１，５６ｂ１が、空隙延在方向Ｙに平行に延在するように設置されているものとする。
【００２７】
各縁材５７ａ，５７ｂは、各天井板５６ａ，５６ｂの側縁部５６ａ１，５６ｂ１を空隙３側から覆うように、空隙延在方向Ｙに沿って延設される長尺の金属製の部材であり、見切材として機能する。
【００２８】
一方の天井構造体５ａは、上記の部材５３ａ〜５７ａに加えて、通し材５８ａをさらに含んで構成される。通し材５８ａは、長尺で断面Ｌ字状の金属製の部材であり、天井板５６ａの側縁部５６ａ１から上方Ｚ１に離間した位置で、その長手方向が空隙延在方向Ｙに一致するように延設され、各ブラケット５３ａの下端部に溶接などによって固定される。
【００２９】
ここで、通し材５８ａにおいて、幅方向Ｘに垂直な仮想平面に平行に配設される板状部分を垂設部５８ａ１と称すると、縁材５７ａは、図３に示すように、この垂設部５８ａ１に、ボルト５９ａ１およびナット５９ａ２などを含む締結具５９ａによって締結固定される。
【００３０】
縁材５７ａは、図３に示すように、詳細には、その上部が通し材５８ａの垂設部５８ａ１に積重されるように垂設部５８ａ１に平行に配設されるとともに、該上部にボルト５９ａ１の軸部が挿通可能な透孔が形成され、また、その下部によって、天井板５６ａの側縁部５６ａ１を幅方向他方Ｘ２側から覆う板状の固定部５７ａ１と、固定部５７ａ１の下端部から幅方向Ｘの両側に延び、天井板５６ａの側縁部５６ａ１と縁材５７ａに連結された天井可動パネル１０の端部１０ａとを下方Ｚ２から覆う板状の被覆部５７ａ２と、被覆部５７ａ２から上方Ｚ１に離間した位置で、固定部５７ａ１の幅方向他方Ｘ２側の表面に垂直に突設され、空隙延在方向Ｙに沿って延びる板状の突出部５７ａ３と、突出部５７ａ３の先端部に一体的に連設され、突出部５７ａ３の厚みよりも大きな直径を有し、空隙延在方向Ｙに沿って延びる円柱状の軸部５７ａ４とを含んで構成される。この軸部５７ａ４の中心軸線が、軸線Ｊ１に相当する。
【００３１】
また、他方の天井構造体５ｂは、上記の部材５３ｂ〜５７ｂに加えて、第１通し材５８ｂと、第２通し材５９ｂとをさらに含んで構成される。第１通し材５８ｂは、空隙延在方向Ｙに沿って延設される長尺の金属製の部材であり、天井板５６ｂの上方Ｚ１で、側縁部５６ｂ１よりも幅方向他方Ｘ２側に配置されて、各ブラケット５３ｂの下部における幅方向一方Ｘ１側の端部に溶接などによって固定される。
【００３２】
一方、第２通し材５９ｂは、空隙延在方向Ｙに沿って延設される長尺の金属製の部材であり、天井板５６ｂの上方Ｚ１で、側縁部５６ｂ１よりも幅方向他方Ｘ２側であって、第１通し材５８ｂの幅方向一方Ｘ１側に配置され、第１通し材５８ｂに対して、ビスなどの締結具６０ｂによって固定される。
【００３３】
第２通し材５９ｂは、幅方向一方Ｘ１に進むにつれて下方Ｚ２に傾斜角αで傾斜する平坦な傾斜面５９ｂ３が上方Ｚ１に臨んで形成された板状の傾斜部５９ｂ１と、傾斜部５９ｂ１の幅方向一方Ｘ１側の端部に連なり、該端部から下方Ｚ２に屈曲する板状の垂設部５９ｂ２とを有している。
【００３４】
縁材５７ｂは、図４に示すように、詳細には、第２通し材５９ｂの垂設部５９ｂ２にビスなどの締結具６１ｂによって固定される固定部５７ｂ１と、固定部５７ｂ１の上端部に連なり、該上端部から幅方向一方Ｘ１側に屈曲し、幅方向一方Ｘ１に進むにつれて下方Ｚ２に傾斜角αで傾斜する平坦な傾斜面５７ｂ４が上方Ｚ１に臨んで形成され、天井板５６ｂの側縁部５６ｂ１を幅方向一方Ｘ１側から覆う板状の傾斜部５７ｂ２と、傾斜部５７ｂ２の幅方向一方Ｘ１側の端部に連なり、該端部から幅方向他方Ｘ２に屈曲し、天井板５６ｂの側縁部５６ｂ１を下方Ｚ２から覆う板状の被覆部５７ｂ３とを含んで構成される。
【００３５】
縁材５７ｂは、第２通し材５９ｂに固定されたとき、傾斜部５７ｂ２の傾斜面５７ｂ４が、第２通し材５９ｂの傾斜部５９ｂ１における傾斜面５９ｂ３と面一になるように構成されている。ここで、傾斜角αは、水平面に対する傾斜角であり、たとえば３０度である。
【００３６】
上記のように構成される各天井構造体５ａ，５ｂは、図１に示すように、一方の天井構造体５ａにおける天井板５６ａの下面５６ａ２と、他方の天井構造体５ｂにおける天井板５６ｂの下面５６ｂ２とが、同一または略同一の平面上に配置されるように構築される。
【００３７】
なお、図１に示すように、天井構造体５ｂは、野縁受け５４ｂを支持するために、ブラケット５３ｂのほかに、吊下機構６２ｂを含んで構成される。天井構造体５ａにも、吊下機構６２ｂと同様の吊下機構が設けられてもよい。
【００３８】
以下、本実施形態に係る天井用伸縮継手装置１の構成について詳細に説明する。
天井可動パネル１０は、図１に示すように、天井板１１と、カバー体１２と、複数本の補強部材１３と、第１見切材１４と、第２見切材１５と、一対の第３見切材１６とを含んで構成される。
【００３９】
天井板１１は、各天井板５６ａ，５６ｂと同一または略同一の厚みを有し、厚み方向に見て矩形状に形成され、その主面における一方の一対の縁辺の寸法は、縁材５７ａの固定部５７ａ１と縁材５７ｂの傾斜部５７ｂ２との幅方向Ｘにおける距離よりも短くなるように選択されている。天井板１１は、前記主面における他方の一対の縁辺が空隙延在方向Ｙに沿って延びる姿勢で、縁材５７ａの固定部５７ａ１と縁材５７ｂの傾斜部５７ｂ２との間に配設される。
【００４０】
カバー体１２は、一方に開放する大略的に容器状の金属製の部材である。カバー体１２
は、図３および図４に示すように、天井板１１の主面よりも僅かに大きなサイズを有する矩形板状の底部１２ａと、底部１２ａにおける四方の縁辺部からそれぞれ垂直に立設し、角筒状の周壁を構成する４つの板状の側壁部１２ｂとを有する。
【００４１】
カバー体１２は、各側壁部１２ｂが、天井板１１の主面における各縁辺にそれぞれ対応して配置される姿勢で、底部１２ａにおいて側壁部１２が設けられる側とは反対側の表面が、天井板１１の一方の主面である上面１１ｃに対向するように配設される。
【００４２】
各補強部材１３は、天井板１１を補強するために用いられる角筒状の金属製の部材であり、その長手方向の寸法が、カバー体１２において、空隙延在方向Ｙに沿って延設される一対の側壁部１２ｂ間の距離と略同一の寸法に選ばれている。各補強部材１３は、図２に示すように、カバー体１２における底部１２ａおよび各側壁部１２ｂによって規定される空間に、その長手方向が幅方向Ｘに一致するような姿勢で、空隙延在方向Ｙに間隔を空けて配設され、カバー体１２における底部１２ａにビスなどの締結具１７によって固定される。
【００４３】
第１見切材１４は、カバー体１２における４つの側壁部１２ｂのうちの、空隙延在方向Ｙに延設される幅方向一方Ｘ１側の側壁部１２ｂに沿って配設される長尺の金属製の部材であり、第２見切材１５は、前記４つの側壁部１２ｂのうちの、空隙延在方向Ｙに延設される幅方向他方Ｘ２側の側壁部１２ｂに沿って配設される長尺の金属製の部材であり、一対の第３見切材１６は、前記４つの側壁部１２ｂのうちの、幅方向Ｘに延設される各側壁部１２ｂに沿ってそれぞれ配設される長尺の金属製の部材である。
【００４４】
第１見切材１４は、その上部が空隙延在方向Ｙに延設される幅方向一方Ｘ１側の側壁部１２ｂに積重されるように該側壁部１２ｂに平行に配設されて、該上部が該側壁部１２ｂにビスなどの締結具１８ａによって固定され、また、その下部によって、天井板１１において幅方向一方Ｘ１側に配置される側縁部１１ａを、幅方向一方Ｘ１側から覆う板状の被覆部１４ａと、被覆部１４ａの下端部に連なり、該下端部から幅方向他方Ｘ２側へ直角に屈曲して、天井板１１の側縁部１１ａを下方Ｚ２から支持する板状の支持部１４ｂと、被覆部１４ａの上端部に連なり、縁材５７ａにおける軸部５７ａ４を嵌挿可能であって、幅方向一方Ｘ１側に開放する凹溝１４ｄが形成される断面Ｃ字状の軸装着部１４ｃとを有する。
【００４５】
天井可動パネル１０は、縁材５７ａにおける軸部５７ａ４を第１見切材１４における凹溝１４ｄに嵌挿させて、軸部５７ａ４と軸装着部１４ｃとを係合させることによって、軸線Ｊ１まわりに回動可能に、縁材５７ａに連結される。図３に示すように、縁材５７ａにおける突出部５７ａ３および軸部５７ａ４と、第１見切材１４における被覆部１４ａおよび軸装着部１４ｃとによって、ヒンジ１９が構成される。
【００４６】
一対の第３見切材１６はそれぞれ、第１見切材１４と略同様に構成される。具体的には、第３見切材１６は、その上部が幅方向Ｘに延設される側壁部１２ｂに積重されるように該側壁部１２ｂに平行に配設されて、該上部が該側壁部１２ｂにビスなどの締結具によって固定され、また、その下部によって、天井板１１において該側壁部１２ｂに対応して配置される側縁部１１ａを、空隙延在方向Ｙの外方から覆う板状の被覆部と、該被覆部の下端部に連なり、該下端部から空隙延在方向Ｙの内方へ直角に屈曲して、天井板１１の該側縁部１１ａを下方Ｚ２から支持する板状の支持部とを有する。
【００４７】
第２見切材１５は、図４に示すように、その上部が空隙延在方向Ｙに延設される幅方向他方Ｘ２側の側壁部１２ｂに積重されるように該側壁部１２ｂに平行に配設されて、該上部が該側壁部１２ｂにビスなどの締結具１８ｂによって固定され、また、その下部によっ
て、天井板１１において幅方向他方Ｘ２側に配置される側縁部１１ｂを、幅方向他方Ｘ２側から覆う板状の被覆部１５ａと、被覆部１５ａの下端部に連なり、該下端部から幅方向一方Ｘ１側へ直角に屈曲して、天井板１１の側縁部１１ｂを下方Ｚ２から支持する板状の支持部１５ｂと、被覆部１５ａの下端部に連なり、該下端部から幅方向他方Ｘ２側へ突出し、被覆部１５ａと協働して、被覆部１５ａの幅方向他方Ｘ２側に、上方Ｚ１に開放する収容空間Ｓを形成する案内部１５ｃと、被覆部１５ａの上端部に連なり、該上端部から幅方向他方Ｘ２側へ直角に屈曲する板状の突出部１５ｄと、突出部１５ｄの先端部に設けられる断面Ｃ字状のボルト保持部１５ｅとを有する。
【００４８】
なお、天井板１１は、これら４つの見切材１４〜１６の各支持部１４ｂ，１５ｂ，１６ｂと、カバー体１２との間に挟持される。
【００４９】
案内部１５ｃは、図４に示すように、被覆部１５ａの下端部から幅方向他方Ｘ２側へ直角に屈曲する板状の屈曲部１５ｃ１と、屈曲部１５ｃ１の幅方向他方Ｘ２側の端部に連なり、該端部から上方Ｚ１側へ屈曲し、幅方向他方Ｘ２に進むにつれて上方Ｚ１に傾斜角αで傾斜する傾斜面１５ｃ４が下方Ｚ２に臨んで形成される板状の傾斜部１５ｃ２と、傾斜部１５ｃ２の先端部に連なり、該先端部から幅方向一方Ｘ１側へ屈曲する板状の返し部１５ｃ３とを有する。
【００５０】
図５は、第２見切材１５におけるボルト保持部１５ｅを図４における矢符Ｃから見た図であり、ボルト保持部１５ｅに嵌め込まれた六角ナット２３（以下、「ナット２３」と記す）とともに示している。ボルト保持部１５ｅは、案内部１５ｃにおける傾斜部１５ｃ２に対向する板状の底部１５ｅ１と、底部１５ｅ１における幅方向Ｗの両縁辺部にそれぞれ連なり、該縁辺部から傾斜部１５ｃ２に向かって直角に屈曲する一対の板状の側壁部１５ｅ２と、各側壁部１５ｅ２の底部１５ｅ１とは反対側の端部にそれぞれ連なり、該端部から互いに近接する方向へ直角に屈曲する一対の板状の上壁部１５ｅ３とを有し、これらの各部１５ｅ１〜１５ｅ３によって、案内部１５ｃにおける傾斜部１５ｃ２に向かって開放する嵌合溝１５ｅ５が、空隙延在方向Ｙに沿って形成される。
【００５１】
より詳細には、ボルト保持部１５ｅは、一対の側壁部１５ｅ２間の距離が、ナット２３における互いに平行な一対の側面２３ａ間の距離よりも僅かに大きく、また、底部１５ｅ１と上壁部１５ｅ３との間の距離が、ナット２３の高さ寸法、貫通孔２３ｂの軸線Ｊ２方向における寸法よりも僅かに大きくなるように形成されている。
【００５２】
これにより、嵌合溝１５ｅ５にナット２３が嵌め込まれたときに、ナット２３の軸線Ｊ２まわりの回転が一対の側壁部１５ｅ２によって阻止され、また、ナット２３の軸線Ｊ２方向への変位が底部１５ｅ１と上壁部１５ｅ３とによって阻止される。
【００５３】
また、ボルト保持部１５ｅは、嵌合溝１５ｅ５にナット２３が嵌め込まれたときに、ナット２３の貫通孔２３ｂ全体が外部に露出するように、一対の上壁部１５ｅ３の幅方向Ｗの寸法が選択され、さらに、底部１５ｅ１には、貫通孔２３ｂの直径よりも僅かに大きな直径を有する円形状の透孔１５ｅ４が、幅方向Ｗに関しては、ナット２３に螺合されたボルト２４の軸部２４ａを挿通可能な位置に、空隙延在方向Ｙに関しては、後述する被掛止部２２が固定される位置に対応した位置に形成される。
【００５４】
この底部１５ｅ１に形成された透孔１５ｅ４を、ナット２３に螺合されたボルト２４の軸部２４ａが挿通することにより、透孔１５ｅ４を規定する内周面によって、ナット２３およびボルト２４の空隙延在方向Ｙへの変位が阻止される。
【００５５】
なお、本実施形態では、図４に示すように、ボルト保持部１５ｅは、嵌合溝１５ｅ５に
ナット２３が嵌め込まれたときに、ナット２３の軸線Ｊ２が、空隙延在方向Ｙに垂直な仮想平面に沿って延び、かつ、幅方向Ｘおよび鉛直方向Ｚに対して傾斜するように、突出部１５ｄの先端部に設けられている。
【００５６】
再び図４に戻って、案内部１５ｃの傾斜部１５ｃ２には、空隙延在方向Ｙに関して、ボルト保持部１５ｅに保持されたナット２３にボルト２４が螺合されたときのナット２３の軸線Ｊ２が貫通するように、収容空間Ｓと案内部１５ｃの下方Ｚ２の空間とを連通する、たとえば円形状の透孔１５ｃ５が形成される。
【００５７】
この透孔１５ｃ５は、図４に示すように、ナット２３に螺合されたボルト２４を、ナット２３の軸線Ｊ２に沿って螺進または螺退させるために用いられる操作具７を挿通可能なサイズに形成される。
【００５８】
図４では、ボルト２４が六角穴付きボルトによって実現され、操作具７として六角レンチとも称する六角棒スパナを示しているが、操作具７は、六角棒スパナに限らず、たとえばボックスレンチなどの締緩作業用の工具であればよい。
【００５９】
上記のように構成される天井可動パネル１０は、図１に示すように、天井板１１の他方の主面である下面１１ｄが各天井板５６ａ，５６ｂの下面５６ａ２，５６ｂ２に平行となる姿勢（以下、「基準姿勢」と称する）で吊下手段２０によって支持されたときに、その幅方向他方Ｘ２側の端部１０ｂが、縁材５７ｂによって下方Ｚ２から覆われるように設計されている。これにより、端部１０ｂの下方Ｚ２から天井可動パネル１０を見上げたときに、天井可動パネル１０の上方Ｚ１の空間が視認できないようにされている。
【００６０】
吊下手段２０は、図１に示すように、索条２１と、被掛止部２２と、ボルト保持部１５ｅに嵌め込まれるナット２３と、ナット２３に螺合されるボルト２４とを含んで構成される。索条２１は、たとえばステンレス製のワイヤなどによって実現される。
【００６１】
被掛止部２２は、たとえば圧着端子を用いてループ状に形成された、索条２１の長手方向の一端部２１ａを、天井可動パネル１０の上方Ｚ１において、一方の天井構造体５ａに掛止するために用いられる金属製の部材であり、本実施形態では、図１に示すように、ブラケット５３ａにビスなどの締結具によって固定される。
【００６２】
ボルト２４（距離調節手段）は、ナット２３に螺合可能な軸部２４ａと、軸部２４ａの一端部に設けられ、操作具７を介して操作される頭部２４ｂとを有し、軸部２４ａの他端部に、たとえば圧着端子を用いてループ状に形成された、索条２１の長手方向の他端部２１ｂが連結される。すなわち、ボルト２４において、頭部２４ｂが被操作部に相当し、軸部２４ａが連結部に相当する。
【００６３】
ボルト２４は、図４に示すように、頭部２４ｂがナット２３に対して、案内部１５ｃの傾斜部１５ｃ２側に配置されるように、ナット２３に螺合される。すなわち、ボルト２４の頭部２４ｂは、ナット２３に螺合された状態において、傾斜部１５ｃ２に形成された透孔１５ｃ５に挿通された操作具７によって操作可能に、収容空間Ｓに配置されている。
【００６４】
索条２１は、その長手方向の寸法が、天井可動パネル１０が基準姿勢で支持されているときの第２見切材１５におけるボルト保持部１５ｅの底部１５ｅ１と被掛止部２２との間の距離よりも若干短い長さとなるように選択されている。
【００６５】
吊下手段２０は、ボルト保持部１５ｅに保持されたナット２３に螺合されたボルト２４の軸部２４ａと被掛止部２２との間に張架された索条２１によって、天井可動パネル１０
における幅方向他方Ｘ２側の端部１０ｂを吊り下げて支持し、天井可動パネル１０が、その支持姿勢から軸線Ｊ１まわりに下方Ｚ２へ回動することを阻止しつつ、軸線Ｊ１まわりに上方Ｚ１へ回動することを許容する。
【００６６】
また、吊下手段２０は、ナット２３に螺合されたボルト２４を、ナット２３に対して螺進または螺退させることにより、第２見切材１５におけるボルト保持部１５ｅの底部１５ｅ１と被掛止部２２との間の距離を増減させることができるように構成されており、このように、第２見切材１５におけるボルト保持部１５ｅの底部１５ｅ１と被掛止部２２との間の距離を増減させることで、天井可動パネル１０が基準姿勢となるように、端部１０ｂの端部１０ａに対する高さ位置、すなわち、軸線Ｊ１まわりの回動位置を微調節することができる。
【００６７】
本実施形態によれば、上記のように、ボルト２４の頭部２４ｂが、ナット２３に螺合された状態において、傾斜部１５ｃ２に形成された透孔１５ｃ５に挿通された操作具７によって操作可能に、収容空間Ｓに配置されているので、天井用伸縮継手装置１の設置作業者は、天井可動パネル１０の上方Ｚ１の空間に侵入することなく、天井可動パネル１０の下方Ｚ２から、操作具７を、透孔１５ｃ５に挿通し、ボルト２４の頭部２４ｂに係合させて操作することで、ボルト２４を螺進または螺退させることができる。
【００６８】
したがって、天井可動パネル１０が基準姿勢となるようにするための微調節の作業の作業性を格段に向上させることができる。
【００６９】
（第２の実施形態）
図６は、本発明の第２の実施形態に係る天井用伸縮継手装置１Ａの構成を示す断面図であり、図７における切断面線ＶＩ−ＶＩから見た断面を示している。図７は、天井用伸縮継手装置１Ａの構成を示す断面図であり、図６における切断面線ＶＩＩ−ＶＩＩから見た断面を示している。なお、本実施形態に係る天井用伸縮継手装置１Ａにおいて、第１の実施形態に係る天井用伸縮継手装置１と同様の構成については同一の参照符を付し、重複する説明を省略する。
【００７０】
第１の実施形態に係る天井用伸縮継手装置１は、天井可動パネル１０における幅方向一方Ｘ１側の端部１０ａが、幅方向一方Ｘ１側に位置する一方の天井構造体５ａによって、軸線Ｊ１まわりに回動可能に支持され、天井可動パネル１０における幅方向他方Ｘ２側の端部１０ｂのみが、該一方の天井構造体５ａに設置された吊下手段２０によって吊り下げられて構成されていたが、本実施形態に係る天井用伸縮継手装置１Ａは、天井可動パネル１０Ａにおける幅方向一方Ｘ１側の端部１０ａが、幅方向一方Ｘ１側に位置する一方の天井構造体５ａに設置された吊下手段２０Ａによって吊り下げられ、天井可動パネル１０Ａにおける幅方向他方Ｘ２側の端部１０ｂが、幅方向他方Ｘ２側に位置する他方の天井構造体５ｂに設置された吊下手段２０Ａによって吊り下げられて構成されている。
【００７１】
このため、本実施形態に係る天井可動パネル１０Ａは、幅方向一方Ｘ１側の端部１０ａに、第１見切材１４に代えて、第２見切材１５を設けた点において、第１の実施形態に係る天井可動パネル１０と異なっている。また、本実施形態に係る吊下手段２０Ａも、被掛止部２２Ａの構成が第１の実施形態に係る被掛止部２２と異なっている。
【００７２】
さらに、天井可動パネル１０Ａにおける幅方向一方Ｘ１側の端部１０ａが吊下手段２０Ａによって吊り下げられることに伴って、本実施形態では、幅方向一方Ｘ１側に位置する一方の天井構造体５ａには、縁材５７ａおよび通し材５８ａに代えて、縁材５７ｂならびに第１および第２通し材５８ｂ，５９ｂが設けられ、幅方向他方Ｘ２側に位置する他方の天井構造体５ｂと略同一に構成されている。
【００７３】
ここで、吊下手段２０Ａを構成する被掛止部２２Ａについて説明する。被掛止部２２Ａは、図６および図７に示すように、連結部２５と、回動部２６と、固定部２７とを含んで構成される。
【００７４】
連結部２５は、たとえば圧着端子を用いてループ状に形成された、索条２１の長手方向の一端部２１ａが連結される金属製の部材であり、回動部２６にビスなどの締結具によって固定される。
【００７５】
回動部２６は、空隙延在方向Ｙに延設される長尺の金属製の部材であり、空隙延在方向Ｙに平行に延びる軸線Ｊ３まわりに回動可能に、かつ、空隙延在方向Ｙに移動自在に固定部２７によって支持される。
【００７６】
固定部２７は、空隙延在方向Ｙに延設される長尺の金属製の部材であり、ブラケット５３ａにビスなどの締結具によって固定される。
【００７７】
固定部２７には、その下端部に、第１の実施形態における縁材５７ａの軸部５７ａ４に相当する円柱状の軸部が、空隙延在方向Ｙに沿って延びるように設けられ、回動部２６には、その上端部に、第１の実施形態における第１見切材１４の軸装着部１４ｃに相当する、固定部２７の軸部を嵌挿可能な凹溝が形成される断面Ｃ字状の軸装着部が、空隙延在方向Ｙに沿って延びるように設けられ、固定部２７の軸部を回動部２６の凹溝に嵌挿させて、軸部と軸装着部とを係合させることによって、回動部２６が、軸線Ｊ３まわりに回動可能に、かつ、空隙延在方向Ｙに移動自在に固定部２７によって支持されるように構成されている。
【００７８】
このように、本実施形態では、回動部２６が空隙延在方向Ｙに移動自在に固定部２７によって支持されることにより、天井可動パネル１０Ａを、一方の天井構造体５ａに設置された吊下手段２０Ａと他方の天井構造体５ｂに設置された吊下手段２０Ａとによって吊下げた場合でも、地震などによる各天井構造体５ａ，５ｂの空隙延在方向Ｙへの相対変位が許容される。
【００７９】
本実施形態のように、天井可動パネル１０Ａにおける幅方向Ｘの両側の端部１０ａ，１０ｂがそれぞれ吊り下げられて構成される場合であっても、第１の実施形態と同様に、天井用伸縮継手装置１の設置作業者は、天井裏の空間に侵入することなく、天井可動パネル１０Ａの下方Ｚ２から、操作具７を、透孔１５ｃ５に挿通し、ボルト２４の頭部２４ｂに係合させて操作することで、ボルト２４を螺進または螺退させることができるので、天井可動パネル１０が基準姿勢となるようにするための微調節の作業の作業性を格段に向上させることができる。
【００８０】
（他の実施形態）
図８は、本発明の他の実施形態に係る天井用伸縮継手装置における第２見切材１５Ａの構成を拡大して示す断面図である。上記の各実施形態では、第２見切材１５において、ボルト保持部１５ｅは、嵌合溝１５ｅ５にナット２３が嵌め込まれたときに、ナット２３の軸線Ｊ２が、空隙延在方向Ｙに垂直な仮想平面に沿って延び、かつ、幅方向Ｘおよび鉛直方向Ｚに対して傾斜するように、突出部１５ｄの先端部に設けられていたが、これに限らず、図８に示す第２見切材１５Ａのように、ボルト保持部１５ｅは、嵌合溝１５ｅ５が下方Ｚ２に開放し、嵌合溝１５ｅ５にナット２３が嵌め込まれたときに、ナット２３の軸線Ｊ２が、鉛直方向Ｚに平行となるように、突出部１５ｄの先端部に設けられてもよい。この場合には、底部１５ｅ１に形成された透孔１５ｅ４と同軸となるように、たとえば屈曲部１５ｃ１に、操作具７を挿通可能なサイズの透孔１５ｃ５が形成される。
【００８１】
また、上記の各実施形態では、距離調節手段としてボルト２４を用いていたが、他の実施形態では、ボルト２４に代えて、索条２１の巻取り機構を設けてもよい。また、上記の各実施形態では、図５に示すように、ボルト保持部１５ｅの嵌合溝１５ｅ５に嵌め込まれて、距離調節手段として機能するボルト２４を保持するナット２３が、六角ナットによって実現されていたが、これに限らず、たとえば四角ナットによって実現されてもよい。
【符号の説明】
【００８２】
１  天井用伸縮継手装置
３  空隙
５ａ，５ｂ  天井構造体
７  操作具
１０  天井可動パネル
１１  天井板
１２  カバー体
１３  補強部材
１４  第１見切材
１５  第２見切材
１５ａ  被覆部
１５ｃ  案内部
１５ｃ２  傾斜部
１５ｃ５  透孔
１５ｅ  ボルト保持部
１５ｅ５  嵌合溝
１６  第３見切材
２０  吊下手段
２１  索条
２２  被掛止部
２３  ナット
２４  ボルト
２４ａ  軸部
２４ｂ  頭部
Ｓ  収容空間
【図１】
2015190265.tif 000003
【図２】
2015190265.tif 000004
【図３】
2015190265.tif 000005
【図４】
2015190265.tif 000006
【図５】
2015190265.tif 000007
【図６】
2015190265.tif 000008
【図７】
2015190265.tif 000009
【図８】
2015190265.tif 000010
【図９】
2015190265.tif 000011